(57)【要約】  【課題】ネットワークに接続された複数のパソコンの表示を、ネットワークに接続された画像表示装置から制御して、この画像表示装置で表示を行う。  【解決手段】画像表示装置２とパソコン３、４、５は、ネットワークＬを介して接続されている。一覧表示制御部２１は、各パソコン３、４、５から各パソコン固有の識別信号を受信しで画像投写部２０からスクリーン２Ａに各パソコン３、４、５の投写表示を行う。スクリーン２Ａ表示された各パソコン３、４、５の中から制御命令入力部６で選択されたパソコンの内容を画像表示制御部２３が受信して、画像投写部２０からスクリーン２Ａに投写表示を行う。  【選択図】図２
2010122265.tif 000002
【特許請求の範囲】
【請求項１】
画像表示装置と、
前記画像表示装置とネットワークを介して接続され、該画像表示装置に対して画像信号
と固有の識別信号を送出する複数の画像制御装置と、
を備え、
前記画像表示装置は、
前記画像信号を受信する画像信号受信部と、
前記識別信号を受信する識別信号受信部と、
画像を表示する画像表示部と、
受信した識別信号に基づき、画像表示部に画像制御装置の一覧表示を行わせる一覧表示
制御部と、
表示された画像制御装置の一覧から画像制御装置を選択する画像制御装置選択制御部と
、
選択した画像制御装置から画像信号を送出させるとともに受信し、受信した画像信号に
基づき前記画像表示部に画像表示を行わせる画像表示制御部と、
選択した画像制御装置に対して制御命令を送信する制御命令送信部と、
を備えていることを特徴とする画像表示システム。
【請求項２】
画像信号と固有の識別信号を送出する複数の画像制御装置とネットワークで接続可能な
接続部と、
前記画像信号を受信する画像信号受信部と、
前記識別信号を受信する識別信号受信部と、
画像を表示する画像表示部と、
受信した識別信号に基づき、前記画像表示部に画像制御装置の一覧表示を行わせる一覧
表示制御部と、
表示した画像制御装置の一覧から画像制御装置を選択する画像制御装置選択制御部と、
選択した画像制御装置から画像信号を送出させるとともに受信し、受信した画像信号に
基づき前記画像表示部に画像表示を行わせる画像表示制御部と、
選択した画像制御装置に対して制御命令を送信する制御命令送信部と、
を備えていることを特徴とする画像表示装置。
【請求項３】
画像表示装置がネットワークを介して複数の画像制御装置と接続された画像表示システ
ムに適用され、
受信した識別信号に基づいて画像制御装置の一覧を表示するステップと、
表示した画像制御装置の一覧から画像制御装置を選択するステップと、
選択された画像制御装置から画像信号を送出させるとともに受信し、受信した画像信号
に基づいて画像表示を行うステップと、
選択された画像制御装置に制御命令を送信するステップと、
を備えていることを特徴とする画像表示方法。
【発明の詳細な説明】
【技術分野】
【０００１】
本発明は、複数の画像制御装置が送出する画像信号に基づいて画像表示装置が画像表示
する画像表示システム、及びこの画像表示システムに用いられる画像表示装置、並びに画
像表示システムの画像表示方法に関する。
【背景技術】
【０００２】
離間した場所にあるプロジェクタの操作は、ネットワークを介して接続した制御用コン
ピュータから行うことは一般的である(例えば、特許文献１参照)。例えば、会議室でプロ
ジェクタを使用して会議やプレゼンテーション等を行う場合、別室において、ネットワー
クを介して接続した制御用コンピュータで、前記プロジェクタを指定して遠隔操作し、該
プロジェクタで投写する資料を設定することが行われている。
【０００３】
【特許文献１】特開２００２−２５２８８０号公報
【発明の開示】
【発明が解決しようとする課題】
【０００４】
会議やプレゼンテーションでは、その最中に、議論や質問の内容に応じて、新たな資料
が必要となることや資料の変更等が生じる場合がある。この場合、会議やプレゼンテーシ
ョンを中断し、制御用コンピュータが設置されている場所へ移動して、該制御用コンピュ
ータを操作して資料を作成する作業を行っていた。しかしながら、新たな資料が必要とな
ったり資料の変更等が生じたりする度に、会議やプレゼンテーションを中断することは、
その進行を妨げるばかりか、非効率的であるという問題があった。
【０００５】
本発明は、このような問題に対処することを課題とするものである。すなわち、画像表
示装置側で画像制御装置を操作可能として、例えば会議やプレゼンテーションの進行の効
率化を図ることが本発明の目的である。
【課題を解決するための手段】
【０００６】
前記目的を達成するため、本発明に係る画像表示システムは次の構成を少なくとも具備
する。
【０００７】
本発明に係る投写表示装置は、画像表示装置と、前記画像表示装置とネットワークを介
して接続され、該画像表示装置に対して画像信号と固有の識別信号を送出する複数の画像
制御装置と、を備え、前記画像表示装置は、前記画像信号を受信する画像信号受信部と、
前記識別信号を受信する識別信号受信部と、画像を表示する画像表示部と、受信した識別
信号に基づき、画像表示部に画像制御装置の一覧表示を行わせる一覧表示制御部と、表示
された画像制御装置の一覧から画像制御装置を選択する画像制御装置選択制御部と、選択
した画像制御装置から画像信号を送出させるとともに受信し、受信した画像信号に基づき
、前記画像表示部に画像表示を行わせる画像表示制御部と、選択した画像制御装置に対し
て制御命令を送信する制御命令送信部と、を備えていることを特徴としている。
【０００８】
本発明に係る画像表示システムによれば、画像表示装置がネットワークを介して接続さ
れた複数の画像制御装置の識別信号を受信すると、該識別信号に基づく画像制御装置の一
覧が表示される。表示された一覧から画像制御装置を選択すると、選択された画像制御装
置から送信される画像信号を受信し、該画像信号に基づく画像が表示される。そして、表
示された画像は画像表示装置側から画像制御装置を操作することで加工することができる
。すなわち、会議やプレゼンテーションの進行を効率化できる。
【０００９】
ここでいう画像表示装置は、例えばプロジェクタ、あるいは液晶ディスプレイや他の画
像表示モジュール(例えば、ＤＭＤ(テキサス・インスツルメント社の商標))、さらには、
ＣＲＴディスプレイやＬＥＤ(発光ダイオード）ディスプレイ等の各種画像表示装置を使
用することができる。また、ここでいう画像制御装置は、例えばパーソナルコンピュータ
、あるいは該パーソナルコンピュータにおける画像制御機能と同等の機能を備える装置で
あればよい。また、ここでいう制御命令入力部は、キーボードやマウスさらにはタブレッ
ト等の各種入力装置を使用することができる。
【００１０】
本発明は、前記画像表示システムに適用可能な画像表示装置を包含する。すなわち、画
像信号と固有の識別信号を送出する複数の画像制御装置とネットワークで接続可能な接続
部と、前記画像信号を受信する画像信号受信部と、前記識別信号を受信する識別信号受信
部と、画像を表示する画像表示部と、受信した識別信号に基づき、前記画像表示部に画像
制御装置の一覧表示を行わせる一覧表示制御部と、表示した画像制御装置の一覧から画像
制御装置を選択する画像制御装置選択制御部と、選択した画像制御装置から画像信号を送
出させるとともに受信し、受信した画像信号に基づき、前記画像表示部に画像表示を行わ
せる画像表示制御部と、選択した画像制御装置に対して制御命令を送信する制御命令送信
部と、を備えていることを特徴としている。
【００１１】
本発明に係る画像制御装置によれば、表示された画像を画像表示装置側から画像制御装
置を操作して加工することで、会議やプレゼンテーションの進行を効率化できる画像表示
システムを構築できる。
【００１２】
ここでいう接続部は、各画像制御装置とネットワークで接続可能なものであればよい。
【００１３】
本発明は、前記画像表示システムに適用される画像表示方法を包含する。すなわち、受
信した識別信号に基づいて画像制御装置の一覧を表示するステップと、表示した画像制御
装置の一覧から画像制御装置を選択するステップと、選択された画像制御装置から画像信
号を送出させるとともに、受信し、受信した画像信号に基づいて画像表示を行うステップ
と、選択された画像制御装置に制御命令を送信するステップと、を備えていることを特徴
としている。
【００１４】
本発明に係る画像表示方法によれば、表示された画像を画像表示装置側から画像制御装
置を操作して加工することで、会議やプレゼンテーションの進行を効率化できる画像表示
システムに適用することができる。
【発明を実施するための最良の形態】
【００１５】
以下、本発明に係る画像表示システムを実施するための最良の形態を図面に基づいて説
明する。本形態における画像表示システムは、３台の画像制御装置を備えた形態として例
示し、該画像制御装置をパーソナルコンピュータ(以下、パソコンという)として例示する
。また、本形態における画像表示装置はプロジェクタとして例示する。また、プロジェク
タに備えられた画像表示部を画像投写部として例示する。パソコンの台数は例示した３台
に限定するものではなく、３台未満及び４台以上であってもよい。また、ネットワークは
有線ネットワーク又は無線ネットワークのいずれでもよい。
【００１６】
図１（ａ)〜（ｅ)は、本形態の画像表示システム１の全体構成及び動作の概略を示すブ
ロック図である。画像表示システム１は、識別データ及び画像を投影するためのプロジェ
クタ２と、該プロジェクタ２とネットワークＬを介して双方向通信可能に接続したパソコ
ン３、４、５と、プロジェクタ２に接続された制御命令入力部６とから構成してある。本
形態の識別データは、パソコン３、４、５それぞれに割り当てられたパソコン番号ＰＣ１
〜ＰＣ３であり、以下では識別データをパソコン番号ＰＣ１〜ＰＣ３として説明する。ま
た、本形態の制御命令入力部６は、キーボード６０及びマウス６１である。
【００１７】
画像表示システム１の動作は、図１（ａ)に示すように、プロジェクタ２がネットワー
クＬに接続されているパソコン３、４、５からネットワークＬに送信される固有の識別信
号を受信して、識別信号に基づくパソコン番号ＰＣ１〜ＰＣ３をスクリーン２Ａに投写す
る。次に、図１(ｂ)に示すように、プロジェクタ２側において、パソコン番号ＰＣ１〜Ｐ
Ｃ３からプロジェクタ２に投写させたい画像を表示しているパソコン(本形態ではパソコ
ン４、パソコン番号ＰＣ２)を選択決定する。
【００１８】
パソコン番号の選択決定の終了後には、図１(ｃ)に示すようにパソコン番号ＰＣ１〜Ｐ
Ｃ３の一覧表示の投写から画像の投写に切替わり、選択されたパソコン４に表示されてい
る画像をプロジェクタ２がスクリーン２Ａに投写する。現在投写している画像を加工する
必要がある場合、図１(ｄ)に示すようにパソコン４にアクセスし、プロジェクタ２に接続
したキーボード６０及びマウス６１を操作して、パソコン４に表示されている画像を加工
する。このとき、スクリーン２Ａに投写される画像は、図１（ｅ）に示すように、加工最
中から加工終了までの画像がリアルタイムでスクリーン２Ａに投写される。
【００１９】
プロジェクタ２からのパソコン３、４、５の操作は、例えばリモートアクセスプログラ
ムにより行うことができる。また、プロジェクタ２からパソコン３、４、５を操作する設
定は、パソコン３、４、５側において、プロジェクタ２との双方向のアクセス及び操作を
許可し、プロジェクタ２からのリモート操作を有効化することにより行われる。
【００２０】
すなわち、本形態の画像表示システム１は、パソコン３、４、５に表示される画像を、
プロジェクタ２側で選択して投写することができるとともに、投写しながら加工する操作
をすることができる。したがって、例えば、会議やプレゼンテーションの最中に、その場
で画像を加工することができるので、会議やプレゼンテーションを中断することなくその
進行を効率化できる。
【００２１】
本形態のパソコン３、４、５は、それぞれ、ディスプレイ３１、４１、５１、ＣＰＵ、
該ＣＰＵが実行する各種プログラムや各種アプリケーションプログラム及び各種データ等
を記憶したＲＯＭ、各種情報及び演算結果等を一時的に記憶するＲＡＭ等を備えている(
いずれも図示せず)。
【００２２】
図２は、プロジェクタ２の全体構成の概略を示すブロック図である。プロジェクタ２は
、画像投写部２０、一覧表示制御部２１、パソコン選択制御部２２、画像表示制御部２３
、制御命令入力部６、制御命令送信部７、接続部２４を備えている。また、ＣＰＵ、該Ｃ
ＰＵが実行する各種プログラムや各種アプリケーションプログラム及び各種データ等を記
憶したＲＯＭ、各種情報及び演算結果等を一時的に記憶するＲＡＭ等を備えている(いず
れも図示せず)。
【００２３】
画像投写部２０は、受信した識別信号に基づいて一覧表示制御部２１から送信されるパ
ソコン番号ＰＣ１〜ＰＣ３及び受信した画像信号に基づいて画像表示制御部２３から送信
される画像をスクリーン２Ａに投写するものである。画像投写部２０は、パソコン番号Ｐ
Ｃ１〜ＰＣ３及び画像データに応じて駆動する投写部駆動回路(図示せず)、該投写部駆動
回路のパソコン番号ＰＣ１〜ＰＣ３及び画像データに応じて画像が表示される光変調素子
(例えば、液晶パネル(図示せず))、光変調素子に表示されたパソコン番号ＰＣ１〜ＰＣ３
及び画像データをスクリーン(図示せず)に投写する照明光学系(図示せず)及び投写光学系
(図示せず)等を備えている。
【００２４】
一覧表示制御部２１は、ＣＰＵが実行する一覧表示プログラムにより送信された識別信
号を受信し、受信した識別信号に基づいて、パソコン３、４、５のパソコン番号ＰＣ１〜
ＰＣ３を画像投写部２０に送信して一覧表示する制御を行う。このとき画像投写部２０は
、スクリーン２Ａにパソコン３、４、５のパソコン番号ＰＣ１〜ＰＣ３を投写する。
【００２５】
図３は、一覧表示制御部２１の全体構成の概略を示すブロック図である。一覧表示制御
部２１は、識別信号受信部２１Ａと記憶部２１Ｂと識別信号制御部２１Ｃとから構成され
ている。
【００２６】
識別信号受信部２１Ａは、ＣＰＵが実行する識別信号受信プログラムによりパソコン３
、４、５から送信される固有の識別信号を受信するものであり、接続部２４を介してネッ
トワークＬと接続されている。受信した識別信号は、記憶部２１Ｂに記憶される。
【００２７】
識別信号とは、３台のパソコン３、４、５を識別するための信号であり、それぞれ、パ
ソコン３、４、５毎に割り当てられた異なる信号である。識別信号は、例えばパソコン３
、４、５それぞれに割り当てられているＩＰアドレス、パソコン名、パソコン番号等、を
利用し、これらが信号として送信される。パソコン３、４、５の識別信号の送信は、リモ
ートアクセス等のアプリケーションプログラムにより行われる。
【００２８】
記憶部２１Ｂは、取得した識別信号を一時的に記憶するものであり、記憶された識別信
号は、識別信号制御部２１Ｃやパソコン選択制御部２２の要求に基づいて出し入れされる
。
【００２９】
識別信号制御部２１Ｃは、ＣＰＵが実行する識別信号制御プログラムにより、記憶部２
１Ｂから呼び出した識別信号に基づいて、該識別信号をパソコン番号ＰＣ１〜ＰＣ３に変
換処理するとともに、該パソコン番号ＰＣ１〜ＰＣ３を一覧として画像投写部２０に送信
する制御を行う。識別信号制御部２１Ｃは、識別信号処理部２１０と一覧送信部２１１と
を備えている。
【００３０】
識別信号処理部２１０は、ＣＰＵが実行する識別信号処理プログラムにより、記憶部２
１Ｃから呼び出した識別信号に基づいてパソコン番号ＰＣ１〜ＰＣ３への変換処理を実行
し、該パソコン番号ＰＣ１〜ＰＣ３を一覧送信部２１１に送信する。また、パソコン選択
制御部２２の要求に基づいて、識別信号をパソコン選択制御部２２に送信する。一覧送信
部２１１は、パソコン番号ＰＣ１〜ＰＣ３の一覧を画像投写部２０に送信するものである
。そして、送信されたパソコン番号ＰＣ１〜ＰＣ３が画像投写部２０によりスクリーン２
Ａに投写される。
【００３１】
パソコン選択制御部２２は、プロジェクタ２に呼出し操作子(例えば、十字キーの左右
方向(図示せず))、選択操作子(例えば、十字キーの上下方向(図示せず))、決定操作子(例
えば、ＥＮＴＥＲキー(図示せず))を備え、該各操作子を操作すると、ＣＰＵが実行する
パソコン選択プログラムにより受信した３個の識別信号を呼出すとともに、呼出した識別
信号から１個を選択決定する制御を行う。
【００３２】
この選択決定制御は、画像信号の受信後に呼出し操作子を操作すると、パソコン番号Ｐ
Ｃ１〜ＰＣ３が投写される。次に、決定操作子を操作するとパソコン番号ＰＣ１〜ＰＣ３
の横に選択目印２Ｂが投写される。続いて、選択目印２Ｂを、選択操作子を操作して目的
のパソコン番号ＰＣ２に移動させる。そして、選択目印２Ｂが目的のパソコン番号ＰＣ２
を示した位置で決定操作子を操作することで、画像信号を送信させるパソコン４が決定さ
れる。
【００３３】
また、画像信号を送信させるパソコンの決定後、呼出し操作子を操作することによって
、記憶部２１Ｂから識別信号を呼び出して識別信号処理部２１０に送信させるとともに、
画像の投写から再びパソコン番号ＰＣ１〜ＰＣ３の一覧の投写に切り替える。
【００３４】
画像表示制御部２３は、ＣＰＵが実行する画像表示制御プログラムにより、選択したパ
ソコン番号ＰＣ２のパソコン４から送信された画像信号を受信し、受信した画像信号を画
像投写部２０に送信して画像投写する制御を行う。このとき、画像投写部２０は受信した
画像２Ｃをスクリーン２Ａに投写する。
【００３５】
図４は、画像表示制御部２３の全体構成の概略を示すブロック図である。画像表示制御
部２３は、画像信号送信指令部２３Ａ、画像信号受信部２３Ｂ、記憶部２３Ｃ、画像信号
制御部２３Ｄと、から構成されている。
【００３６】
画像信号送信指令部２３Ａは、接続部２４を介してネットワークＬと接続され、ＣＰＵ
が実行するリモートアクセスプログラムにより、選択されたパソコン番号ＰＣ２のパソコ
ン４から画像信号を送信させる制御を行う。
【００３７】
画像信号受信部２３Ｂは、接続部２４を介してネットワークＬと接続され、ＣＰＵが実
行する画像信号受信プログラムにより、送信された画像信号を受信するものである。受信
した画像信号は、記憶部２３Ｃに記憶される。
【００３８】
画像信号送信指令部２３Ａと画像信号受信部２３Ｂの画像信号の送受信は、パソコン選
択制御部２２の選択決定操作の終了後に自動的に行われる。また、画像信号の送受信は、
画像表示システム１の終了やパソコン選択制御部２２の識別信号の切替え制御が行われな
い限り継続される。
【００３９】
記憶部２３Ｃは、取得した画像信号を一時的に記憶するものであり、記憶された画像信
号は、画像信号制御部２３Ｄやパソコン選択制御部２２の要求に基づいて呼び出される。
【００４０】
画像信号制御部２３Ｄは、ＣＰＵが実行する画像信号制御プログラムにより、記憶部２
３Ｃから呼び出した画像信号に基づいて、画像信号を画像に変換処理し、該画像３を画像
投写部２０に送信するものである。画像信号制御部２３Ｄは、画像信号処理部２３０と、
画像送信部２３１とを備えている。
【００４１】
画像信号処理部２３０は、ＣＰＵが実行する画像信号処理プログラムにより、記憶部２
３Ｃから呼び出した画像信号に基づいて画像に変換する処理を実行し、該画像を画像送信
部２３１に送信する。画像送信部２３１は、画像を画像投写部２０に送信するものである
。そして、送信された画像が画像投写部２０によりスクリーン２Ａに投写される。
【００４２】
制御命令入力部６は、キーボード６１やマウス６２等の入力装置であり、制御命令送信
部７に接続されている。
【００４３】
制御命令送信部７は、ＣＰＵが実行するリモートアクセスプログラムにより、制御命令
入力部６から入力された制御命令(画像加工命令)を、選択したパソコン番号ＰＣ２のパソ
コン４に対してネットワークＬを介して送信する制御を行う。
【００４４】
すなわち、制御命令入力部６で入力された画像加工命令は、制御命令送信部７からネッ
トワークＬを介してパソコン４に送信される。送信された画像加工命令に基づき、パソコ
ン４のＣＰＵが実行する画像作成プログラムにより、パソコン４に表示されている画像が
加工される。このとき、画像信号送信指令部２３Ａと画像信号受信部２３Ｂによる画像信
号の送受信が継続しているので、画像加工命令に基づく画像の加工状態がリアルタイムで
スクリーンに投写される。したがって、本形態のプロジェクタ２は、例えば会議やプレゼ
ンテーションの最中に画像を加工する必要があっても、その場で画像を加工することがで
きるので、会議やプレゼンテーションを中断することなく効率的に進行することが可能と
なる。
【００４５】
図５は、本形態のプロジェクタ２が、受信した識別信号に基づくパソコン番号ＰＣ１〜
ＰＣ３の一覧の投写を実行する方法、投写した一覧から１個のパソコン番号の選択を実行
する方法と、選択されたパソコン番号ＰＣ２のパソコン４から画像信号を送信させるとと
もに、受信し、受信した画像信号に基づく画像投写を実行する方法とを含むプログラムの
フローチャートである(図１（ａ)〜図１（ｅ）に示す動作)。このフローチャートは、プ
ロジェクタ２及びパソコン３、４、５を起動する操作(指示)をしたときに起動するプログ
ラムである(ステップＳ１)。
【００４６】
〔図１(ａ)の動作〕
プロジェクタ２、及びパソコン３、４、５が起動されると、全てのパソコン３、４、５
がそれぞれ固有の識別信号を送信し(ステップＳ２)、送信された識別信号をプロジェクタ
２が受信する(ステップＳ３)。識別信号を受信したプロジェクタ２は、識別信号に基づい
て該識別信号をパソコン番号ＰＣ１〜ＰＣ３に変換処理し(ステップＳ４)、該パソコン番
号ＰＣ１〜ＰＣ３をスクリーン２Ａに投写する(ステップＳ５)。
【００４７】
〔図１(ｂ)の動作〕
投写されたパソコン番号ＰＣ１〜ＰＣ３から目的のパソコンに対応するパソコン番号を
１個選択決定する(ステップＳ６〜ステップＳ８)。本フローチャートでは、パソコン番号
ＰＣ２のパソコン４を選択している。
【００４８】
〔図１(ｃ)の動作〕
パソコン番号ＰＣ２が選択決定されると、プロジェクタ２が選択されたパソコン４から
、該パソコン４が表示する画像の画像信号を送信させ(ステップＳ９)、送信された画像信
号を受信する(ステップＳ１０)。画像信号を受信したプロジェクタ２は、画像番号に基づ
いて該画像信号を画像に変換処理する(ステップＳ１１)とともに、パソコン番号ＰＣ１〜
ＰＣ３の投写から切り替えて画像を投写する(ステップＳ１２)。
【００４９】
〔図１(ｄ）、(ｅ)の動作〕
現在投写している画像を加工する場合、プロジェクタ２がパソコン４にアクセスすると
ともに、制御命令(画像加工命令)を送信して、パソコン４に表示されている画像を加工す
る(ステップＳ１３)。このとき、プロジェクタ２は、ステップＳ９〜ステップＳ１２の制
御を継続して実行している。すなわち、プロジェクタ２は、画像を加工する最中から加工
終了までの画像をリアルタイムでスクリーン２Ａに投写する。
【００５０】
投写する画像を他のパソコン３、５が表示する画像に切り替える場合、プロジェクタ２
がパソコン３、４、５の識別信号を呼出し(ステップＳ１４)、画像の投写から再びパソコ
ン番号ＰＣ１〜ＰＣ３の一覧の投写に切り替える(ステップＳ５)。そして、パソコン番号
ＰＣ１〜ＰＣ３の一覧が投写されたら、再びステップＳ６以降を実行することができる。
【００５１】
本形態のプログラムによれば、プロジェクタ２が、受信した識別信号に基づくパソコン
番号ＰＣ１〜ＰＣ３の一覧を投写する制御、投写した一覧から１個のパソコン番号を選択
する制御、選択されたパソコン番号ＰＣ２のパソコン４から画像信号を送信させるととも
に、受信し、受信した画像信号に基づく画像を投写する制御を実行することができる。さ
らに、投写画像をプロジェクタ２側で加工する制御、パソコン番号を切り替えて異なるパ
ソコンから画像信号を送信させる制御を実行することができる。
【００５２】
本発明は、例示した実施の形態に限定するものではなく、特許請求の範囲の各項に記載
された技術的思想の範囲において、各種形態による実施が可能である。
【図面の簡単な説明】
【００５３】
【図１】(ａ）〜(ｂ)は、本発明に係る画像表示システムの全体構成、及び動作工程の概略を示すブロック図。
【図２】画像表示装置の全体構成の概略を示すブロック図。
【図３】一覧表示制御部の全体構成の概略を示すブロック図。
【図４】画像表示制御部の全体構成の概略を示すブロック図。
【図５】画像表示装置が実行するプログラムのフローチャート
【符号の説明】
【００５４】
１：画像表示システム    ２：プロジェクタ(画像表示装置)    Ｌ：ネットワーク
３、４、５：パソコン(画像制御装置)    ２０：画像投写部    ２１：一覧表示制御部
２２：パソコン選択制御部(画像制御装置選択制御部)    ２３：画像表示制御部
７：制御命令送信部    ２４：接続部    ２１Ａ：識別信号受信部
２３Ｂ：画像信号受信部
【図１】
2010122265.tif 000003
【図２】
2010122265.tif 000004
【図３】
2010122265.tif 000005
【図４】
2010122265.tif 000006
【図５】
2010122265.tif 000007